(57)【要約】【課題】一度貼付けた後は、剥離しても再貼着が困難なＲＦＩＤ粘着ラベルを得ると共に、人体に直接貼り付ける用途に適したＲＦＩＤ粘着ラベルを得ることを課題とする。【解決手段】ＲＦＩＤのインレイ２、支持体３、接触緩和シート１１からなるＲＦＩＤ粘着ラベル１であって、支持体３は薄膜のポリウレタンフィルムであり、支持体３の片面にガイドフィルム４が剥離可能に積層され、支持体３の他面にアクリル系粘着剤が塗布され、インレイ２の全輪郭線の外側に前記粘着剤塗布面の一定領域が残存する状態にインレイ２の片面が粘着剤塗布面の一部領域に貼着され、インレイ２の他面に接触緩和シート１１が固着され、粘着剤塗布面の残存領域が被着体への貼着領域６であるＲＦＩＤ粘着ラベル１である。【選択図】図２
0003110437.tif 000002
【実用新案登録請求の範囲】
【請求項１】
ＲＦＩＤのインレイと支持体からなるＲＦＩＤ粘着ラベルであって、前記支持体は平均厚さ５〜１００μｍのポリウレタンフィルムであり、前記支持体の片面にガイドフィルムが剥離可能に積層され、前記支持体の他面に粘着剤が塗布され、前記インレイの平面大きさは、前記支持体の平面大きさよりも小さく、前記インレイが前記粘着剤塗布面の一部領域に貼着され、前記粘着剤塗布面の残存領域が被着体への貼着領域であるＲＦＩＤ粘着ラベル。
【請求項２】
ＲＦＩＤのインレイ、支持体、接触緩和シートからなるＲＦＩＤ粘着ラベルであって、前記支持体は平均厚さ５〜５０μｍのポリウレタンフィルムであり、前記支持体の片面にガイドフィルムが剥離可能に積層され、前記支持体の他面にアクリル系粘着剤が塗布され、前記インレイの平面大きさは、前記支持体の平面大きさよりも小さく、前記インレイの全輪郭線の外側に前記粘着剤塗布面の一定領域が残存する状態に、前記インレイの片面が前記粘着剤塗布面の一部領域に貼着され、前記インレイの他面に前記接触緩和シートが固着され、前記粘着剤塗布面の残存領域が被着体への貼着領域であるＲＦＩＤ粘着ラベル。
【考案の詳細な説明】
【技術分野】
【０００１】
本考案は、ＲＦＩＤを含む粘着ラベルに関するものである。より詳しくは、一度被着体に貼り付けた後は、剥離して再貼着が困難なＲＦＩＤ粘着ラベルに関するものである。
【背景技術】
【０００２】
ＲＦＩＤは、ＩＣタグ、ＲＦタグ、無線タグ、電子タグなどとも呼ばれるもので、これを貼り付けされた物などと、その物に関する情報を一体化させるなどの目的で使用される。
インレイとはＰＥＴなどの基材フィルム上にアンテナとアンテナに連結されたＩＣチップが固定されたＲＦＩＤの回路単位をいう。
【０００３】
ＲＦＩＤはこれを貼り付けなどされた物品などの固体特定情報を記録することができ、この固体特定情報を物品などの信憑性を保証する情報（以下セキュリティ情報と呼ぶことがある）として用いることが可能である。ＲＦＩＤをセキュリティ情報記録手段として用いる場合には、被着体とＲＦＩＤ内の記録情報が一致していることが不可欠であり、一度使用したＲＦＩＤは他の物品に使用できないようにすることが好ましい。またブランド商品の信憑性を保証したり、内容物の真正さを保証するためには、流通過程でＲＦＩＤが貼り変えられることのないようにする必要がある。
【０００４】
従来、再使用防止ＲＦＩＤラベルとして、基材フィルムにアンテナ、ＩＣチップ等を固着し、当該アンテナ、ＩＣチップの上に強力な接着剤を塗布したものが知られている。このＲＦＩＤラベルをいったん被着体に貼り付けた後に剥離すると基材フィルムのみが剥離され、アンテナ等が物品上に残置される結果、ＲＦＩＤが破壊される（例えば、特許文献１参照）。
一方、ＲＦＩＤは、従来より、病院の患者等個人の識別情報手段として使用されている。人とＲＦＩＤを一体とするために、従来、例えばＲＦＩＤ付リストバンドが使用されている（例えば特許文献２参照）。
【特許文献１】特開２００５−１１３３０号公報
【特許文献２】特開２００１−５１９９１８号公報
【考案の開示】
【考案が解決しようとする課題】
【０００５】
従来の再使用防止ＲＦＩＤラベルは被着体にＲＦＩＤの一部分を残置するものであり、ＲＦＩＤラベル剥離後の被着体は美観が損なわれる。高級ブランド品などでは、ファッション性が重視され、また商品購入者がＲＦＩＤラベルを剥離する場合もあるので、被着体にＲＦＩＤの一部分を残置しない再使用防止ＲＦＩＤラベルが望まれる。
一方、ＲＦＩＤ付リストバンドは、装着者の行動を制限する場合もあり、また、入浴、清拭などの邪魔になることもある。
【０００６】
そこで、本考案は他の様式を用いた再貼着が困難なＲＦＩＤを得ることを課題とする。
また、本考案は再貼着が困難であると共に、人体に直接貼り付ける用途に適したＲＦＩＤ粘着ラベルを得ることを課題とする。
本考案のその他の課題は、以下の本考案の説明より明らかになる。
【課題を解決するための手段】
【０００７】
上記の課題を解決するため、本考案の一の態様にかかるＲＦＩＤ粘着ラベルは、ＲＦＩＤのインレイと支持体からなるＲＦＩＤ粘着ラベルであって、前記支持体は平均厚さ５〜１００μｍのポリウレタンフィルムであり、前記支持体の片面にガイドフィルムが剥離可能に積層され、前記支持体の他面に粘着剤が塗布され、前記インレイの平面大きさは、前記支持体の平面大きさよりも小さく、前記インレイが前記粘着剤塗布面の一部領域に貼着され、前記粘着剤塗布面の残存領域が被着体への貼着領域である。
【０００８】
本考案にかかるＲＦＩＤ粘着ラベルの支持体として用いるポリウレタンフィルムは、柔軟で伸縮性に富む。本ＲＦＩＤ粘着ラベルを一度被着体に貼着し、剥離すると、剥離操作に伴い、ポリウレタンフィルムの各部が異なる割合で伸縮する。この結果、剥離した支持体は不規則に丸まってしまい、元の状態に貼着することが困難となる。
【０００９】
本考案の好ましい実施態様にかかるＲＦＩＤ粘着ラベルは、ＲＦＩＤのインレイ、支持体、接触緩和シートからなるＲＦＩＤ粘着ラベルであって、前記支持体は平均厚さ５〜５０μｍのポリウレタンフィルムであり、前記支持体の片面にガイドフィルムが剥離可能に積層され、前記支持体の他面にアクリル系粘着剤が塗布され、前記インレイの平面大きさは、前記支持体の平面大きさよりも小さく、前記インレイの全輪郭線の外側に前記粘着剤塗布面の一定領域が残存する状態に、前記インレイの片面が前記粘着剤塗布面の一部領域に貼着され、前記インレイの他面に前記接触緩和シートが固着され、前記粘着剤塗布面の残存領域が被着体への貼着領域である。
【００１０】
本好ましい実施様態にかかるＲＦＩＤ粘着ラベルは、再度粘着が困難であると共に、人体貼り付け用途に好適である。これは、以下の理由による。
(1) 薄膜ポリウレタンフィルムは透湿度の値が大きいため、人体より発する水蒸気は薄膜ポリウレタンフィルムを透過して外気に排出されるため、ＲＦＩＤが水分の影響を受けにくい。
(2) (1)と同様の理由で皮膚がムレにくい。
(3) 薄膜ポリウレタンが柔軟で、伸縮性に富むため、皮膚に貼り付けても違和感が少ない。
(4) 貼着したまま、入浴、清拭、水仕事が可能で、水泳も可能である。
(5) アクリル系の粘着剤を使用しているので、肌にやさしい。
【００１１】
本考案の態様、好ましい実施態様、これらの構成要素は可能な限り組み合わせて実施することができる。
【考案の効果】
【００１２】
本考案にかかるＲＦＩＤ粘着ラベルは、一度貼り付けた後は、剥離しても再貼着が困難である。このため、被着体の信憑性を保証などする目的に好適なＲＦＩＤ粘着ラベルである。
また、本考案の好ましい実施例にかかるＲＦＩＤ粘着ラベルは、再貼着が困難であると共に、人体に直接貼り付ける用途に適している。よって、医療機関などにおける看者の識別、競技者、受験者の識別と替え玉の防止などの目的に好適なＲＦＩＤ粘着ラベルである。
【考案を実施するための最良の形態】
【００１３】
以下に図面を参照して、本考案をさらに説明する。この考案の実施例に記載されている部材や部分の寸法、材質、形状、その相対位置などは、とくに特定的な記載のない限りは、この考案の範囲をそれらのみに限定する趣旨のものではなく、単なる説明例にすぎない。
【００１４】
図１はＲＦＩＤ粘着ラベルを粘着剤塗布面側から見た平面説明図であり、図２はＲＦＩＤ粘着ラベルの断面説明図である。
ＲＦＩＤラベル１は支持体３とＲＦＩＤのインレイ２から成る。支持体３の片面にガイドフィルム４が剥離可能に積層されている。支持体３の他方面には全面に粘着剤が塗布され、粘着剤層５が形成されている。インレイ２の平面大きさは、支持体３の平面大きさに比較して小さい。インレイ２は支持体３の中央部に位置付けられ、粘着剤層５により支持体３に貼着されている。
【００１５】
インレイ２の四周輪郭線の外側には、粘着剤塗布面の残存領域があり、この領域は、ＲＦＩＤ粘着ラベル１の被着体への貼着領域６となる。
支持体３は、平均厚さ２５μｍのポリウレタンフィルムである。
ポリウレタンフィルムは平均厚さ５〜１００μｍのものが使用できる。厚さがこの範囲であれば、適当な柔軟性と伸縮性を有するために、支持体としてふさわしい。さらに厚さがこの範囲であれば、一度貼着した後に剥離するとフィルムが丸まってしまい再貼着が不可能となる。
また、ＲＦＩＤ粘着ラベルを人体貼着用途に使用する場合には、ポリウレタンフィルムは平均厚さ５〜５０μｍのものを使用する。この範囲であれば、透湿度の値が大きくなり、水蒸気がよく透過して外気に排出されやすく、ＲＦＩＤの動作が妨げられにくく、また皮膚のムレを防ぐことができるからである。
【００１６】
ガイドフィルム４は平均厚さ１００μｍのポリエチレンテレフタレーと（ＰＥＴ）フィルムである。ガイドフィルム４はＰＥＴの他に、ポリエチレン、ポリプロピレンのフィルムを用いることができ、またポリエチレンコートした紙を使用することができる。
支持体３の片面にガイドフィルムを積層する方法としては、ポリウレタン樹脂とＰＥＴ樹脂等をフィルム状に共押出する方法、ポリウレタンフィルムとＰＥＴフィルム等を熱ラミネートする方法、ＰＥＴフィルム等の上にポリウレタン樹脂をキャスティングする方法などがある。
上記の方法で積層されたガイドフィルム４は、支持体３とガイドフィルム４の積層体を被着体に貼着後、容易に支持体３から剥離、除去することができる。
ガイドフィルム３には、ガイドフィルム剥離、除去の掴み部分として、掴み片１２を附属することができる。例えば合成紙製の掴み片１２を掴み片１２の一方面に形成した粘着剤１３により、ガイドフィルムの端部に貼付すればよい。
【００１７】
粘着剤層５を形成する粘着剤は、アクリル系、ゴム系、ウレタン系などの公知の粘着剤を使用することができる。ＲＦＩＤ粘着ラベルを人体貼付用途に使用する場合には、アクリル系粘着剤を使用することが好ましい。一般に、肌にやさしく、カブれにくいからである。粘着剤の粘着強度は、被着面の表面、ラベル貼付期間、擦過環境等を考慮して適宜に定めることができる。貼付領域６は、必要に応じて、剥離紙で覆ってもよい。
【００１８】
インレイ２は、基材フィルム（厚さ３８μｍのＰＥＴフィルム）上に接着剤を塗布し、アルミニウムを含むインキを用いてスクリーン印刷により渦巻き状のアンテナを形成する。さらに当該アンテナにＩＣチップを導電的に接続・固定したものである。インレイ２は、上記基本的構成に、さらに片面及び／又は両面に、合成紙、ＥＶＡ、ＰＥＴシートなどが積層されていてもよい。
インレイ２はその他の材料、製造方法などで製造されたものでもよい。例えば、基材フィルムは、ポリイミドフィルム、ＰＢＴフィルムであってもよい。基材フィルムの厚さに特に制限はないが、通常厚さ１０μｍ〜１００μｍ、好ましくは厚さ２０μｍ〜７０μｍである。アンテナの形状は、例えばダイポールアンテナであってもよい。アンテナの材質は例えば、銅であってもよい。銅箔のアンテナは、基材フィルムの上に銅箔層を形成し、レジストを用いてエッチングにより形成してもよく、アンテナ形状の銅箔をプレスなどにより基材フィルム上に貼り付けてもよい。
【００１９】
ＲＦＩＤ粘着ラベルを人体貼付用途に使用する場合には、インレイ２の他方面（皮膚に接触する面）に接触緩和シートである不織布１１を貼付することが好ましい。ＲＦＩＤ粘着ラベルの肌触りを良くして違和感を緩和するためである。接触緩和シート１１としては不織布の他に、ガーゼ、織布等を使用してもよい。接触緩和シート１１はインレイ２の全面を覆う大きさ、形状にすることが好ましい。なお、図１中には、接触緩和シート１１は図示していない。
【００２０】
ＲＦＩＤ粘着ラベル１は、貼着領域６の粘着剤を露出して被着体（物、人など）に圧着する。その後ガイドフィルムを取り除いて貼付を完了する。貼着後、ＲＦＩＤ粘着ラベルを剥離すると、支持体であるポリウレタンフィルムが丸まってしまい、再貼付は不可能である。
【産業上の利用可能性】
【００２１】
本考案にかかるＲＦＩＤ粘着ラベルは、例えば商品に貼着することにより、商品の真実性を示す用途に用いることができる。また人に貼着することにより、患者個体の識別、スポーツやその他の競技、また受験における替玉の防止、さらには災害時等の場合の病人、死体の識別手段等に利用することができる。
【図面の簡単な説明】
【００２２】
【図１】ＲＦＩＤ粘着ラベルを粘着剤塗布面側から見た平面説明図である。
【図２】ＲＦＩＤ粘着ラベルの断面説明図である。
【符号の説明】
【００２３】
１    ＲＦＩＤ粘着ラベル
２    インレイ
３    支持体
４    ガイドフィルム
５    粘着剤層
６    貼着領域
１１  接触緩和シートである不織布
１２  掴み片
１３  掴み片粘着剤
２１  アンテナ
２２  ＩＣチップ
【図１】
0003110437.tif 000003
【図２】
0003110437.tif 000004